(57)【要約】【課題】  複数の中空部を備えた電子機器及び画像形成装置の外装部材を良好な強度・外観で製造することができるようにすること。【解決手段】  画像形成装置２０の正面開閉扉１０を合成樹脂でコアバック成型し、外装板部材１１に形成される溝部１６の両側に中空部１，２を備えて補強をする。外装板部材１１の溝部１６には前記中空部１，２の間を接続するリブ３を形成して構成し成型時の変形を防止した。また、リブ３の高さを前記中空部１，２より低く形成し、コスト削減を図る。【選択図】  図２
2006138877.tif 000002
【特許請求の範囲】
【請求項１】
合成樹脂で成型され外装板部に複数個所の中空部を備えるとともに前記外装板に前記中空部を接続するリブを形成したことを特徴とする外装部材。
【請求項２】
前記リブの高さを前記中空部より低く形成したことを特徴とする請求項１の外装部材。
【請求項３】
前記中空部をコアバック方式で形成することを特徴とする請求項１または２の外装部材。
【請求項４】
外装部材は電子機器の外装に使用することを特徴とする請求項１ないし３のいずれかの外装部材。
【請求項５】
外装部材は、画像形成装置の開閉蓋であることを特徴とする請求項４の外装部材。
【請求項６】
請求項１ないし５のいずれかの外装部材を備えた電子機器。
【請求項７】
外装部材を開閉扉として使用したことを特徴とする請求項６の電子機器。
【請求項８】
請求項１ないし５のいずれかの外装部材を備えた画像形成装置。
【請求項９】
外装部材を開閉扉として使用したことを特徴とする請求項８の画像形成装置
【発明の詳細な説明】
【技術分野】
【０００１】
本発明は、外装部材、電子機器及び画像形成装置に係り、特に外装板部に複数個所の中空部を備える外装部材、電子機器及び画像形成装置に関する。
【背景技術】
【０００２】
電子機器である画像形成装置例えば電子写真装置の外装には、一方向に開閉する開閉扉が使用されることがあり、該扉を開放してメンテナンスや消耗品の補給等を行う。このような電子写真装置の開閉扉にあっては、安全上及び操作性から相当の強度が必要で、大型機の開閉扉は合成樹脂を型成形する際、リブを形成したり、コアバック成型、ブロー成型などで中空部を設け強度を確保している。
【０００３】
このような画像形成装置の開閉扉に関して特許文献１の図２ないし図４に開示がある。
【特許文献１】特開平０２−００４２８４号公報
【発明の開示】
【発明が解決しようとする課題】
【０００４】
しかし、近来電子機器のデザインが多様化し、形状が複雑となり、開閉扉などの外装材に溝やくぼみが形作られてきており、コアバック形成などは一体で作ることが困難になってきた。すなわち、コアバック形成における製品の冷却時に、製品にへこみが生じてしまうため、強度・外観上好ましくないことになるからである。
【０００５】
本発明は、複数の中空部を備えた外装部材を良好な強度・外観で製造することができる外装部材、電子機器及び画像形成装置を提供することを目的とする。
【課題を解決するための手段】
【０００６】
請求項１の発明は、合成樹脂で成型され外装板部に複数個所の中空部を備えるとともに前記外装板に前記中空部を接続するリブを形成したことを特徴とする外装部材である。
【０００７】
請求項２の発明は、請求項１の外装部材において、前記リブの高さを前記中空部より低く形成したことを特徴とする。
【０００８】
請求項３の発明は、請求項１または２の外装部材において、前記中空部をコアバック方式で形成することを特徴とする。
【０００９】
請求項４の発明は、請求項１ないし３のいずれかの外装部材において、外装部材は電子機器の外装に使用することを特徴とする。
【００１０】
請求項５の発明は、請求項４の外装部材において、外装部材は、画像形成装置の開閉蓋であることを特徴とする。
【００１１】
請求項６の発明は、電子機器において、請求項１ないし５のいずれかの外装部材を備えたことを特徴とする。
【００１２】
請求項７の発明は、電子機器において、請求項６の外装部材を開閉扉として使用したことを特徴とする。
【００１３】
請求項８の発明は、画像形成装置において、請求項１ないし５のいずれかの外装部材を備えたことを特徴とする。
【００１４】
請求項９の発明は、外装部材を開閉扉として使用したことを特徴とする請求項８の画像形成装置である。
【発明の効果】
【００１５】
本発明に係る中空部間にリブを形成したので、複数の中空部を備えた外装部材を良好な強度・外観で製造することができるという効果がある。
【発明を実施するための最良の形態】
【００１６】
以下本発明を実施するための最良の形態としての実施例を図面を参照して説明する。
【実施例】
【００１７】
図１は本発明の実施例に係る画像形成装置の全体の構成を示す図、図２は本発明の実施例に係る画像形成装置の正面開閉扉の内側を示す斜視図、図３は本発明の実施例に係る画像形成装置の正面扉の内側を示す平面図、図４は本発明の実施例に係る画像形成装置の正面扉の内側を示す拡大図である。
【００１８】
本例において、外装部材は、図１に示すように、画像形成装置２０の正面開閉扉１０に適用される。ここで、画像形成装置２０は、自動原稿移送装置２１、画像形成装置本体２２を備える。正面開閉扉１０を開け、画像形成装置２０に内蔵された画像形成ユニット、転写ユニット、定着ユニット、用紙搬送装置などが現れる。
【００１９】
本例では、正面開閉扉１０は合成樹脂で公知のコアバック方式で成型される。また、本例では、正面開閉扉１０は、外装板部材１１と、左右の立設部１２，１３と、湾曲形成部１４と垂下部１５とから構成される。また外装板部材１１には上下方向に溝部１６が形成されている。
【００２０】
また、本例では、溝部１６の両側に中空部１及び中空部２が形成され補強が施されている。また、本例では、中空部１と中空部２とは９本のリブ３が形成されている。このリブ３は外装板部材１１及び湾曲形成部１４から立設形成され両中空部１，２を接続している。
【００２１】
さらに、本例では図３に示すように、前記リブ３は、中空部１，２より低くなっている（図４中３ａで示した）。
【００２２】
従って本例によれば、独立した中空部のままでは、開閉扉全体の歪み、撓みを押さえることができず、コアバックの間に応力が集中してしまい、破損しやすくなったのに対して、リブで補強ができ正面開閉扉の強度を補うことができる。
【００２３】
また、本例ではリブを中空部より低く形成し、型の作成費を抑えるえることができる。
【００２４】
なお、上記例では、電子機器として画像形成装置を例として説明したが、他の電子機器の外装部材として使用することができる。
【図面の簡単な説明】
【００２５】
【図１】本発明の実施例に係る画像形成装置の全体の構成を示す図である。
【図２】本発明の実施例に係る外装部材を示す斜視図である。
【図３】本発明の実施例に係る外装部材を示す平面図である。
【図４】本発明の実施例に係る外装部材を示す拡大図である
【符号の説明】
【００２６】
１  中空部
２  中空部
３  リブ
１０  正面開閉扉
１１  外装板部材
１２  立設部
１３  立設部
１４  湾曲形成部
１５  垂下部
１６  溝部
２０  画像形成装置
２１  自動原稿移送装置
２２  画像形成装置本体
【図１】
2006138877.tif 000003
【図２】
2006138877.tif 000004
【図３】
2006138877.tif 000005
【図４】
2006138877.tif 000006